(57)【要約】【課題】どの方向からでもアクセスして移動させることができるとともに、他の設備とともに使用する際にも作業効率が良いナースカートを提供する。【解決手段】ナースカート１は、キャスタ１５を有するベース部１３と、前記ベース部１３に立てて設けられる支柱部１１と、前記支柱部１１に支持されるトレイ１２と、略平面状の載置部１０Ｃの水平方向の端部全周に前記載置部１０Ｃの上下方向の厚さより厚く、前記載置部１０Ｃの上端面及び下端面より上下方向に突出する把持部１０Ｈを有し、前記支柱部１１の上端部に設置される天板１０と、を備える。【選択図】図１
2018068922.tif 000002
【特許請求の範囲】
【請求項１】
キャスタを有するベース部と、
前記ベース部に立てて設けられる支柱部と、
前記支柱部に支持されるトレイと、
略平面状の載置部の水平方向の端部全周に前記載置部の上下方向の厚さより厚く、前記載置部の上端面及び下端面より上下方向に突出する把持部を有し、前記支柱部の上端部に設置される天板と、
を備えるナースカート。
【請求項２】
前記把持部は、
前記天板の前後方向端部に設けられる主把持部の上下方向の厚さが、前記天板の左右方向の端部に設けられる副把持部の上下方向の厚さより厚い請求項１に記載のナースカート。
【請求項３】
前記把持部は、
前記主把持部と、前記副把持部と、が前記天板の四隅においてなめらかに連結する請求項２に記載のナースカート。
【請求項４】
前記主把持部は、
前記載置部と前記主把持部との連結部分が、前記載置部の上端面における曲率半径の方が前記載置部の下端面の曲率半径よりも大きい請求項２又は請求項３に記載のナースカート。
【請求項５】
前記天板は、
前記載置部と、前記把持部と、が一体に成型される請求項１から請求項４までのいずれか１項に記載のナースカート。
【発明の詳細な説明】
【技術分野】
【０００１】
本発明は、ナースカートに関するものである。
【背景技術】
【０００２】
病院等の医療の現場において、ノートパソコン、薬剤、器具等、種々の資材を運搬するためにナースカートが使用されてきた。このナースカートは、キャスタを有するベース部と、ベース部に立てて設けられる支柱部と、支柱部に支持されるトレイと、支柱部の上端部に設けられる天板と、を備える。
【０００３】
従来、天板はほぼ矩形の板状部材の一辺にハンドルが設置されていた。天板の一辺だけにハンドルがあると前方に移動させる場合には支障がないが、横方向に移動させたり、回転させたりする場合には不便である。つまり、ナースカートへのアクセス方向が限られている。
【０００４】
この点に関し、天板の全周にわたってハンドルを設置したナースカートが提案されている（例えば、特許文献１。）。この技術によれば、どの方向に移動させる場合にもハンドルを掴むことができる。この技術を適用したナースカートはどの方向からもアクセスして移動させることができる。
【０００５】
しかし、ナースカートはテーブル等の他の設備とともに使用される場合もある。テーブルとともにナースカートが使用される場合、ナースカートはテーブルの近傍に配置されたり、天板の一部がテーブルの天板の上に来るように接近させて配置されたりする。
【０００６】
このような使用方法を行った場合、ナースカートの天板の全周にハンドルがあると、ハンドルが邪魔になる場合がある。
【先行技術文献】
【特許文献】
【０００７】
【特許文献１】特開２０１４−１８３８６号公報
【発明の概要】
【発明が解決しようとする課題】
【０００８】
本発明の解決しようとする課題は、どの方向からでもアクセスして移動させることができるとともに、他の設備とともに使用する際にも作業効率が良いナースカートを提供することである。
【課題を解決するための手段】
【０００９】
本発明は、キャスタを有するベース部と、前記ベース部に立てて設けられる支柱部と、
前記支柱部に支持されるトレイと、略平面状の載置部の水平方向の端部全周に前記載置部の上下方向の厚さより厚く、前記載置部の上端面及び下端面より上下方向に突出する把持部を有し、前記支柱部の上端部に設置される天板と、を備えるナースカートを提供する。
【発明の効果】
【００１０】
本発明によれば、どの方向からでもアクセスして移動させることができるとともに、他の設備とともに使用する際にも作業効率が良いナースカートを提供することができる。
【図面の簡単な説明】
【００１１】
【図１】ナースカートの斜視図。
【図２】天板の平面図。
【図３】天板の図２におけるＸ矢視図。
【図４】天板の図２におけるＡＡ線断面図。
【図５】図４のＰ１部分の拡大図。
【図６】天板の図２におけるＹ矢視図。
【図７】天板の図２におけるＢＢ線断面図。
【図８】図７のＰ２部分の拡大図
【発明を実施するための形態】
【００１２】
以下、本発明の実施形態の一例にかかるナースカート１を、図面を参照しながら説明する。
【００１３】
図１は、本実施形態のナースカート１の斜視図である。図１に示すように、ナースカート１は、ベース部１３と、１本の支柱部１１と、トレイ１２と、天板１０と、を備える。
【００１４】
ベース部１３は、２本の平行な縦部材１３Ａと、縦部材１３Ａを互いに連結させる横部材１３Ｂと、を備える。縦部材１３Ａは水平方向に延びる、断面が矩形の棒状部材である。縦部材１３Ａは横部材１３Ｂよりも長さが長い。ここで、縦部材１３Ａの長手方向を前後方向といい、前後方向に対して水平方向に垂直な方向を左右方向という。縦部材１３Ａの前後方向端部にはキャスタ１５がそれぞれ設置される。
【００１５】
横部材１３Ｂは縦部材１３Ａが伸びる方向の中間位置よりも後方側に寄せて設置される。横部材１３Ｂの上面の中央部分には支柱部１１が立てて設けられる。また、横部材１３Ｂの支柱部１１が設けられる位置の下面側にはストッパ１４が設けられる。
【００１６】
ストッパ１４は、ペダルと、上下伸長部と、回転部と、を備える。ペダルを踏むと上下伸長部は床面方向にナースカート１を数センチメートル浮かせるように伸びる。回転部は上下伸長部の下端に設置され、水平方向に回転する。従って、上下伸長部が伸びた状態において天板１０を回転させると、ナースカート１は回転部を中心としてその場において回転する。
【００１７】
トレイ１２は、支持板１２Ａと、カプラ１２Ｂと、によって支柱部１１に取り付けられる。支持板１２Ａは、トレイ１２の底面より若干小さい板状部材と、板状部材の後端部に設置される第１係合爪部と、を備える。カプラ１２Ｂは、下方に延びる下方爪部と、下方爪部とは反対側に配置される第２係合爪部と、を備える。トレイ１２は支柱部側に半円筒状の凹部を有し、凹部に上方に延びる上方爪部を備える。また、トレイ１２は底面に板状部材を把持する把持爪を有する。支柱部１１は、前方側及び後方側にそれぞれ２列に並んだ複数の係合穴を有する。
【００１８】
支持板１２Ａは第１係合爪を支柱部１１の係合穴に係合させることにより支柱部１１に取り付けられる。トレイ１２は、支持板１２Ａの把持爪に板状部材を把持させることにより、支持板１２Ａを介して支柱部１１に取り付けられる。その後、カプラ１２Ｂは第２係合爪を係合穴に係合されるとともに、下方爪部を上方爪部に差し込まれることにより、トレイ１２を支柱部１１に上方から係止する。
【００１９】
トレイ１２は、支柱部１１が公報に寄せてベース部１３に設置されているため、前方に長く伸ばすことが可能となる。従って、支柱部１１が縦部材１３Ａの前後方向の中央位置に設置されるより、トレイ１２の大きさが大きくなり、より多くの物を載せることができる。
【００２０】
天板１０は支柱部１１の上端部に設置される。天板１０は天板１０の中心位置よりも後方側に寄った位置において支柱部１１に支持される。天板１０はトレイ１２の上方に配置されることとなる。従って、天板１０がベース部１３の前後方向の端部よりも外側に出ることがなく、見た目も使い勝手もよくなる。
【００２１】
図２は、天板１０の平面図である。図２に示すように、天板１０は、角が丸められたほぼ矩形の形状をなす。天板１０は、前後方向の長さＷ１が左右方向の長さＷ４より長い。
【００２２】
天板１０は、物品を載置する載置部１０Ｃと、載置部１０Ｃの水平方向の端部全周に形成される把持部１０Ｈを備える。
【００２３】
載置部１０Ｃは略平面状をなす。載置部１０Ｃは、例えば筆記具を置くための凹部や凸部を有していてもよい。
【００２４】
把持部１０Ｈは、前後方向の両端部に設置される主把持部１０Ａと、左右方向の両端部に設置される副把持部１０Ｂと、を有する。主把持部１０Ａと、副把持部１０Ｂと、の連結部分、すなわち天板１０の４つの角はなめらかな円弧を描く。
【００２５】
前方に配置される主把持部１０Ａの前後方向の幅Ｗ２は、後方に配置される主把持部１０Ａの前後方向の幅Ｗ３と略等しい。
【００２６】
右側に配置される副把持部１０Ｂの左右方向の幅Ｗ６は、左側に配置される副把持部１０Ｂの左右方向の幅Ｗ５を略等しい。
【００２７】
主把持部１０Ａの前後方向の幅Ｗ２、幅Ｗ３は、副把持部１０Ｂの左右方向の幅Ｗ５、幅Ｗ６よりも広い。
【００２８】
図３は天板１０の図２におけるＸ矢視図、図４は天板１０の図２におけるＡＡ線断面図、図５は図４のＰ１部分の拡大図である。図３から図５までに示すように、把持部１０Ｈは全周にわたり、載置部１０Ｃの上下方向の厚さＨ２より厚く形成される。
【００２９】
図５に示すように、主把持部１０Ａの上下方向の厚さＨ３は、副把持部１０Ｂの上下方向の厚さＨ１より厚い。副把持部１０Ｂは、載置部１０Ｃの上端面より厚さＨ４だけ上方に突出して形成される。副把持部１０Ｂは、載置部１０Ｃの下端面より厚さＨ５だけ下方に突出して形成される。厚さＨ４は厚さＨ５より薄い。従って、副把持部１０Ｂは下方により多く突出する。
【００３０】
副把持部１０Ｂは、左右方向の端部から上方になめらかな曲線を描き、左右方向の端部から長さＷ６の位置Ｃ２において下方に落ち込み、載置部１０Ｃの上方に中心を有する円弧Ｃ１を介して載置部１０Ｃの上端面となめらかに連結する。
【００３１】
副把持部１０Ｂは、左右方向の端部から下方になめらかな曲線を描き、左右方向の端部から長さＷ７の位置Ｃ３において上方に登り、載置部１０Ｃの下方に中心を有する円弧Ｃ４を介して載置部１０Ｃの下端面となめらかに連結する。
【００３２】
副把持部１０Ｂは、位置Ｃ２における方が位置Ｃ３におけるより、小さな曲率半径により曲がる。長さＷ６は、長さＷ７と、ほぼ等しいか、やや短い。
【００３３】
以上のように副把持部１０Ｂを形成すると、作業者が副把持部１０Ｂを左右方向から掴んだ場合、親指が円弧Ｃ１に引っかかりやすくなり、手のひらは副把持部１０Ｂの左右端部に密着し、親指以外の指は円弧Ｃ４に引っかかりやすくなる。
【００３４】
作業者が手を逆に副把持部１０Ｂに合わせた場合においても、親指は円弧Ｃ４に引っかかりやすくなり、副把持部１０Ｂの左右端部は手のひらに密着し、親指以外の指は円弧Ｃ１に引っかかりやすくなる。
【００３５】
従って、副把持部１０Ｂの上記形状は、手によって把持する場合、上から把持しても、下から把持しても持ちやすい。
【００３６】
図６は天板１０の図２におけるＹ矢視図、図７は天板１０の図２におけるＢＢ線断面図、図８は図７のＰ２部分の拡大図である。図６から図８までに示すように、主把持部１０Ａと副把持部１０Ｂの連結部、つまり天板１０の四隅は、主把持部１０Ａの厚みＨ３が副把持部１０Ｂの厚みより大きいが、載置部１０Ｃの上端面からの主把持部１０Ａ及び副把持部１０Ｂの突出する長さは等しい。
【００３７】
すなわち、上述したように、主把持部１０Ａの前後方向の幅Ｗ２、幅Ｗ３は、副把持部１０Ｂの左右方向の幅Ｗ５、幅Ｗ６よりも広く、主把持部１０Ａは副把持部１０Ｂより下方により突出し、主把持部１０Ａと副把持部１０Ｂとはなめらかに連結する。従って、主把持部１０Ａの断面積は副把持部１０Ｂの断面積よりも大きいため、主把持部１０Ａは副把持部１０Ｂよりも径が太く、主把持部１０Ａと副把持部１０Ｂとの連結部は天板１０の裏面において斜めになる。
【００３８】
このように形成した把持部１０Ｈの四隅は、作業者が角を持った場合に角が手のひらに密着するとともに、指の引っ掛かりがよいため持ちやすい。具体的には、作業者が角を持つ場合、手のひらに径が太い主把持部１０Ａがあたり、この状態において握ると指は径の細い副把持部１０Ｂとの連結部の斜めになった部分から副把持部１０Ｂにかかる。従って、主把持部１０Ａと副把持部１０Ｂとの角の連結部分は手を自然に握った形にフィットする。そして、主把持部１０Ａと副把持部１０Ｂの角の連結部分を握ると、径が細く握りやすい副把持部１０Ｂを握ることができるとともに、握った手の指が径の太い主把持部１０Ａに引っかかる。このような状態になることにより、作業者は楽に、かつ、しっかりと把持してナースカート１を移動させることが可能となる。また、このように把持部Ｈの四隅を形成すると、最も使用頻度の高い前後方向の移動の際に、作業者が自然に手を添える位置に手によりフィットする形状が位置することとなり、作業者の移動作業により便宜である。
【００３９】
図８に示すように、主把持部１０Ａは、前後方向の端部から上方になめらかな曲線を描き、前後方向の端部から長さＷ２の位置Ｃ６において下方に落ち込み、載置部１０Ｃの上方に中心を有する円弧Ｃ５を介して載置部１０Ｃの上端面となめらかに連結する。
【００４０】
主把持部１０Ａは、前後方向の端部から下方になめらかな曲線を描き、前後方向の端部から長さＷ８の位置Ｃ７において上方に登り、載置部１０Ｃの下方に中心を有する円弧Ｃ８を介して載置部１０Ｃの下端面となめらかに連結する。
【００４１】
主把持部１０Ａは、位置Ｃ６における方が位置Ｃ７におけるより、小さな曲率半径により曲がる。円弧Ｃ５の曲率半径は円弧Ｃ８の曲率半径より大きい。長さＷ２は、長さＷ８と、ほぼ等しいか、やや短い。
【００４２】
以上のように主把持部１０Ａを形成すると、作業者が主把持部１０Ａを前後方向から掴んだ場合、親指が円弧Ｃ５に引っかかりやすくなり、手のひらは主把持部１０Ａの前後端部に密着し、親指以外の指は円弧Ｃ８に引っかかりやすくなる。
【００４３】
作業者が手を逆に主把持部１０Ａに合わせた場合においても、親指は円弧Ｃ８に引っかかりやすくなり、主把持部１０Ａの前後端部は手のひらに密着し、親指以外の指は円弧Ｃ５に引っかかりやすくなる。
【００４４】
従って、主把持部１０Ａの上記形状は、手によって把持する場合、上から把持しても、下から把持しても、天板１０の把持部１０Ｈを持ってナースカート１を容易に移動させることができる形状である。そして、把持部１０Ｈは天板１０の水平方向端部の全周にわたって設けられる。従って、本実施形態のナースカート１によれば、ハンドルを設けなくても把持部１０Ｈを掴むことにより容易に、かつ、方向性を意識することなしに自在に移動させることができる。
【００４５】
なお、天板１０は、材質に合成樹脂を用いる場合は、例えばブロー成型により一体成型することができるが、成型方法はブロー成型以外の成型方法でもよい。
【００４６】
また、天板１０の材質は、木材であっても金属であってもよい。さらに、天板１０は把持部１０Ｈを載置部１０Ｃとは別の材料によって形成することも可能である。
【００４７】
以上述べたように、本実施形態のナースカート１は、天板１０の全周に把持部１０Ｈを配置し、ハンドルを設けない。
【００４８】
従って、天板１０の全周どこにおいても把持が可能となり、作業者は方向性を気にせずナースカート１を移動させることが可能となるとともに、ハンドルが邪魔になることもなくなるという効果がある。
【００４９】
また、副把持部１０Ｂは主把持部１０Ａより径が細い。副把持部１０Ｂは握りやすい太さであり、主把持部は指が引っ掛かりやすい太さである。そして、主把持部１０Ａと副把持部１０Ｂとの連結部分はなめらかに連結されている。
【００５０】
従って、主把持部１０Ａと副把持部１０Ｂの角の連結部分を握ると、径が細く握りやすい副把持部１０Ｂを握ることができるとともに、握った手の指が径の太い主把持部１０Ａに引っかかり、作業者は楽に、かつ、しっかりと把持してナースカート１を移動させることが可能となるという効果がある。
【符号の説明】
【００５１】
１  ナースカート
１０  天板
１０Ａ  主把持部
１０Ｂ  副把持部
１０Ｃ  載置部
１０Ｈ  把持部
１１  支柱部
１２  トレイ
１２Ａ  支持板
１２Ｂ  カプラ
１３  ベース部
１３Ａ  縦部材
１３Ｂ  横部材
１４  ストッパ
１５  キャスタ
【図１】
2018068922.tif 000003
【図２】
2018068922.tif 000004
【図３】
2018068922.tif 000005
【図４】
2018068922.tif 000006
【図５】
2018068922.tif 000007
【図６】
2018068922.tif 000008
【図７】
2018068922.tif 000009
【図８】
2018068922.tif 000010